(57)【要約】【課題】  使い勝手の向上や、携帯性の向上を図ることができる塗布具付き化粧料容器を提供する。【解決手段】  塗布具付き化粧料容器１０は、栓部１５に塗布具１６を軸線１７方向に移動自在に備え、塗布具１６に、塗布具１６の表面１８を加熱可能なニクロム線１９を内蔵し、栓部１５に、ニクロム線１９を発熱するための電源２０を備えるとともに、電源２０とニクロム線１９とを接続又は非接続状態に切り換えるオン・オフスイッチ２２を備え、栓部１５で開口部１３を閉じた際に、オン・オフスイッチ２２が自動的にオフになるように構成したものである。【選択図】      図１ 
2006034772.tif 000002
【特許請求の範囲】
【請求項１】
化粧料を収納し、この化粧料を取り出すための開口部を備えた容器本体と、
この開口部を開閉する栓部と、
この栓部に備え、開口部を栓部で閉じた際に容器本体内の化粧料に漬かり、開口部から栓部を外した際に前記化粧料を所望箇所に塗布可能な塗布具とからなる塗布具付き化粧料容器において、
前記塗布具に、塗布具の表面を加熱可能な発熱体を内蔵し、
前記栓部に、前記発熱体を発熱するための電源を備えるとともに、この電源と発熱体とを接続又は非接続状態に切り換えるオン・オフスイッチを備え、
前記栓部で前記開口部を閉じた際に、前記オン・オフスイッチが自動的にオフになるように構成したことを特徴とする塗布具付き化粧料容器。
【請求項２】
前記オン・オフスイッチは、オンのとき、前記塗布具が前記栓部側から離れる方向に移動し、オフのとき、塗布具が栓部側に近づく方向に移動するように構成され、
前記栓部で前記開口部を閉じた際に、開口部で塗布具が栓部側に近づく方向に押圧して、前記オン・オフスイッチが自動的にオフになることを特徴とする請求項１に記載の塗布具付き化粧料容器。
【発明の詳細な説明】
【技術分野】
【０００１】
本発明は、化粧料を容器本体に収納し、容器本体の開口部を開閉する栓部を備え、この栓部に塗布具を備えた塗布具付き化粧料容器に係り、さらに詳しくは、塗布具の内部に発熱体を内蔵することで、使い勝手の向上や、携帯性の向上が図れるように改良した塗布具付き化粧料容器に関する。
【背景技術】
【０００２】
従来より、化粧料容器のなかには、容器本体に化粧料を入れ、この容器本体の開口部を閉じる栓に塗布具を備えたものがある。
この化粧料容器によれば開口部を栓で閉じたときに、塗布具を化粧料内に漬けた状態に保ち、栓を開口部から外したときに、塗布具に化粧料を付着させた状態で、塗布具を容器本体内から取り出すことができる。
【０００３】
ところで、一般的に、化粧料を塗布する場合には、化粧料の粘度は低い方が望ましく、また、化粧料を塗布した後の耐久性（以下、「化粧持ち」と表現する）という点では粘度は比較的高い方が望ましい。
このような化粧料の特性を満たすために、例えば化粧料中に気散成分を配合している。すなわち、化粧料中に気散成分を含ませた状態では、化粧料の低粘度を保つことで塗布のしやすさが確保でき、化粧料を塗布した後は、気散成分が揮発して乾燥するので化粧料が固化して化粧持ちを確保できる。
【０００４】
しかし、この方法では、塗布する化粧料の粘度を、塗布性、及び化粧持ち性（耐久性）の両方を満たすように設定するために、それぞれの特性を十分に発揮させることは難しいとされていた。
【０００５】
一方、化粧料の塗布具のなかには、塗布具に発熱体を内蔵したものが知られている（例えば、特許文献１参照）。
【特許文献１】特開平１０−１９２０３７号公報
【０００６】
この発熱体を備えた化粧料塗布具は、取っ手にオン・オフスイッチを設け、このスイッチをオンにすることにより、発熱体で塗布具を加熱するものである。
この発熱体を備えた塗布具を使用すれば、塗布具を加熱した状態で、塗布具に化粧料を付着させる際に、化粧料を融解して化粧料を低粘度化してから塗布することができ、塗布後には化粧料を自然冷却して高粘度化にさせることで塗布性と耐久性を満たすことが可能になっていた。
【発明の開示】
【発明が解決しようとする課題】
【０００７】
しかし、特許文献１の化粧料塗布具は、化粧料を収納する収納容器（化粧料容器）とは独立したものである。このため、特許文献１の化粧料塗布具を使用する際には、まず化粧料を収納する収納容器（化粧料容器）から栓を外して、化粧料容器の開口部を開ける。つぎに、化粧料塗布具のキャップを外し、塗布具のオン・オフスイッチをオンにして、発熱体で塗布具を加熱する。
【０００８】
ついで、加熱した塗布具を開口部から化粧料容器内に差し込み、容器内の化粧料に塗布具を付着させる。そして、付着させた化粧料を塗布具で塗布する。
このように、化粧料塗布具が、化粧料容器と独立しているので、化粧料塗布具を使用するときには、化粧料塗布具と化粧料容器の両方を使用可能状態にする必要があり、そのために使い勝手の観点から改良の余地が残されていた。
また、化粧料塗布具と化粧料容器との両方が必要になり、持ち運びの際に携帯性の観点から改良の余地が残されていた。
【０００９】
この発明は、使い勝手の向上や、携帯性の向上を図ることができる塗布具付き化粧料容器を提供して、上述した全ての問題点を解消しようとするものである。
【課題を解決するための手段】
【００１０】
上記目的を達成するために、請求項１記載の発明は、化粧料を収納し、この化粧料を取り出すための開口部を備えた容器本体と、この開口部を開閉する栓部と、この栓部に備え、開口部を栓部で閉じた際に容器本体内の化粧料に漬かり、開口部から栓部を外した際に前記化粧料を所望箇所に塗布可能な塗布具とからなる塗布具付き化粧料容器において、前記塗布具に、塗布具の表面を加熱可能な発熱体を内蔵し、前記栓部に、前記発熱体を発熱するための電源を備えるとともに、この電源と発熱体とを接続又は非接続状態に切り換えるオン・オフスイッチを備え、前記栓部で前記開口部を閉じた際に、前記オン・オフスイッチが自動的にオフになるように構成したことを特徴とする。
【００１１】
化粧料容器の栓部に塗布具を備え、この塗布具に発熱体を内蔵した。よって、化粧料容器に、発熱体を内蔵した塗布具を一体に組み込むことができるので、持ち運びが容易になる。
【００１２】
また、化粧料容器の栓部に塗布具を備え、この塗布具に発熱体を内蔵した。
これにより、栓部を開口部から外した際に、塗布具に化粧料を付着させることができるようになる。
さらに、塗布具を化粧料から引き上げる前に、オン・オフスイッチをオンにすると、塗布具に付着した化粧料を融解することができ、化粧料の低粘度化を図ることができる。
これにより、低粘度化された化粧料を、塗布具に容易に付着させることができる。
【００１３】
化粧料を低粘度化することで、化粧料の塗布性を高めて睫毛に良好に塗布することもできる。
加えて、睫毛に塗布された化粧料は自然冷却して高粘度化するので、化粧持ち（塗布後の耐久性）を高めることができる。
【００１４】
さらに、栓部で前記開口部を閉じた際に、オン・オフスイッチが自動的にオフになるように構成した。すなわち塗布具が未使用の間は、オン・オフスイッチを確実にオフに切り換え、スイッチの切り忘れを防止して、使い勝手をさらに向上させた。
また、万が一、オン・オフスイッチを確実にオフに切り換えることを忘れてしまった場合でも、化粧料を長時間加熱することを防ぎ、長時間の加熱による化粧料の劣化を防ぐことができる。
【００１５】
請求項２は、前記オン・オフスイッチは、オンのときには、前記塗布具が前記栓部側から離れる方向に移動し、オフのときには、塗布具が栓部側に近づく方向に移動するように構成され、前記栓部で前記開口部を閉じた際に、開口部で塗布具が栓部側に近づく方向に押圧して、前記オン・オフスイッチが自動的にオフになることを特徴とする。
【００１６】
開口部で塗布具を押圧してオン・オフスイッチをオフにするように構成したので、開口部を栓部で閉じたとき、オン・オフスイッチを確実にオフにすることができる。
【発明の効果】
【００１７】
請求項１に係る発明では、化粧料容器に、発熱体を内蔵した塗布具を一体に組み込むことで、持ち運びが容易になり、携帯性の向上を図ることができるという利点がある。
【００１８】
さらに、請求項１に係る発明では、化粧料容器の栓部に塗布具を備え、この塗布具に発熱体を内蔵することで、低粘度化された化粧料を塗布具に簡単に付着させることが可能になり、使い勝手の向上を図ることができるという利点がある。
【発明を実施するための最良の形態】
【００１９】
以下添付図に基づいて、本発明に係る棒状化粧料容器の一実施の形態を詳説する。
図１は本発明に係る塗布具付き化粧料容器（第１実施の形態）の蓋部を外した状態を示す断面図、図２は本発明に係る第１実施の形態を示す断面図、図３は本発明に係る第１実施の形態の塗布具本体を示す側面図、図４は本発明に係る第１実施の形態の塗布具本体を示す分解図、図５は本発明に係る第１実施の形態の塗布具本体を示す平面図である。
【００２０】
図１〜図２に示すように、第１実施の形態の塗布具付き化粧料容器１０は、化粧料（以下、「マスカラ」として説明する）１２を収納し、このマスカラ１２を取り出すための開口部１３を備えた容器本体１１と、この開口部１３を開閉する栓部１５と、この栓部１５に備え、開口部１３を栓部１５で閉じた際に容器本体１１内のマスカラ１２に漬かり、開口部１３から栓部１５を外した際にマスカラ１２を所望箇所（以下、「睫毛」として説明する）に塗布可能な塗布具１６とからなる。
【００２１】
塗布具付き化粧料容器１０は、栓部１５に塗布具１６を軸線１７方向に移動自在に備え、塗布具１６に、塗布具１６の表面１８を加熱可能な発熱体（以下、「ニクロム線」として説明する）１９を内蔵し、栓部１５に、ニクロム線１９を発熱するための電源２０を備えるとともに、この電源２０とニクロム線１９とを接続又は非接続状態に切り換えるオン・オフスイッチ２２を備え、栓部１５で開口部１３を閉じた際に、オン・オフスイッチ２２が自動的にオフになるように構成したものである。
【００２２】
容器本体１１は、内部にマスカラ１２を収納可能で、上端に開口部１３を備え、開口部１３近傍にシール材２４を備えており、開口部１３の外周には栓部１５が螺合するネジ部１３ａが形成されている。
シール材２４は、開口部１３を栓部１５で閉じた際に、塗布具１６の基部外周１６ａに密着して、容器本体１１内のマスカラ１２が開口部１３側に漏れ出すことを防いでいる。
【００２３】
オン・オフスイッチ２２は、塗布具１６を栓部１５から離れる方向に付勢する圧縮ばね２６を備えている。
この圧縮ばね２６の付勢力で塗布具１６を栓部１５側から離れる方向に移動することにより、オン・オフスイッチ２２がオンとなり、塗布具１６が圧縮ばね２６の付勢力に抗して栓部１５側に近づく方向に移動するで、オン・オフスイッチ２２がオフとなる。
【００２４】
このオン・オフスイッチ２２によれば、栓部１５で開口部１３を閉じた際に、開口部１３で塗布具１６が栓部１５側に近づく方向に押圧され、オン・オフスイッチ２２が自動的にオフになる。
開口部１３で塗布具１６を押圧してオン・オフスイッチ２２をオフにするように構成したので、開口部１３を栓部１５で閉じたとき、オン・オフスイッチ２２を確実にオフにすることができる。
【００２５】
塗布具１６は、先端部に塗布具本体２８を備える。塗布具本体２８は、図４に示すように、筒状のカバー２９と、カバー２９内に内蔵するとともに、先端で折り曲げられたニクロム線１９（図３、図５参照）と、折り曲げられたニクロム線１９の間の隙間に配置した仕切壁３１（図３、図５参照）と、仕切壁３１の基部に備えたベース３２とを備えている。
【００２６】
仕切壁３１の両側には、ニクロム線１９を折り曲げた状態に配置し、ベース３２内にニクロム線１９を貫通させ、この状態で、ニクロム線１９や仕切壁３１をカバー２９内に矢印Ａのように組み込んで、図３及び図５に示すように、カバー２９内にニクロム線１９を内蔵している。
【００２７】
図３及び図５に示すように、カバー２９は、表面１８に、半円弧状の溝３４を、一定間隔を存して複数個形成することで、溝３４にマスカラ１２（図１、図２参照）を良好に付着させられるようにしている。
【００２８】
溝３４と溝３４との間には突起部３６が備えられており、この突起部３６は、マスカラ１２を睫毛（図示せず）に塗布する際に、睫毛をガイドする役割を果たす。
これにより、溝３４内に睫毛を配置することが可能になり、溝３４に付着したマスカラ１２を睫毛に良好に塗布することができるようになる。
【００２９】
以上説明したように、塗布具付き化粧料容器１０の栓部１５に塗布具１６を備え、この塗布具１６にニクロム線１９を内蔵したので、化粧料容器１０に、発熱体としてのニクロム線１９を内蔵した塗布具１６を一体に組み込めるようになり、化粧料容器１０の持ち運びが容易になる。
【００３０】
また、化粧料容器１０の栓部１５に塗布具１６を備え、この塗布具１６にニクロム線１９を内蔵したので、栓部１５を開口部１３から外した際に、塗布具１６にマスカラ１２を自動的に付着させることができる。
【００３１】
さらに、塗布具１６をマスカラ１２から引き上げる前に、オン・オフスイッチ２２をオンにすることで、塗布具１６に付着したマスカラ１２を融解するので、マスカラ１２の低粘度化を図ることができる。
これにより、低粘度化されたマスカラ１２を塗布具１６に容易に付着させることができる。
【００３２】
マスカラ１２を低粘度化することで、マスカラ１２の塗布性を高めて睫毛に良好に塗布することができ、さらに睫毛に塗布されたマスカラ１２は自然冷却して高粘度化するので、化粧持ち（塗布後の耐久性）を高めることができる。
【００３３】
ついで、栓部１５で開口部１３を閉じた際に、オン・オフスイッチ２２が自動的にオフになるように構成した。
これにより、塗布具１６が未使用の間は、オン・オフスイッチ２２を確実にオフに切り換えることができるので、使い勝手がさらに向上する。
【００３４】
さらに、万が一、オン・オフスイッチ２２を確実にオフに切り換えることを忘れてしまった場合でも、マスカラ１２を長時間加熱することを防ぐことができ、長時間の加熱によるマスカラ１２の劣化を防ぐことができる。
【００３５】
つぎに、第２、第３実施の形態の塗布具付き化粧料容器を図６〜図７に基づいて説明する。なお、第２、第３実施の形態の塗布具付き化粧料容器において、第１実施の形態の塗布具付き化粧料容器１０と同一類似部材については同一符号を付して説明を省略する。
【００３６】
図１〜図５に示す、第１実施の形態の塗布具付き化粧料容器１０のオン・オフスイッチ２２に圧縮ばね２６を備え、栓部１５で開口部１３を閉じた際に、圧縮ばね２６の付勢力に抗してオン・オフスイッチ２２が自動的にオフになり、栓部１５を開口部１３から外した際には、圧縮ばね２６の付勢力でオン・オフスイッチ２２が自動的にオンになるように構成したものを例示した。
【００３７】
図６（Ａ）に示すように、第２実施の形態の塗布具付き化粧料容器４０は、第１実施の形態の塗布具付き化粧料容器１０の圧縮ばね２６に代えて環状の操作部４１を備えた。
この環状の操作部４１は、栓部１５の外周に、軸線１７方向に移動自在に設けられている。
【００３８】
図６（Ｂ）に示すように、操作部４１を軸線１７に沿って矢印の方向に移動することで、操作部４１に連動して塗布具１６を栓部１５側から離れる方向に移動させるので、オン・オフスイッチ２２（図１、図２参照）が自動的にオンとなる。
【００３９】
図６（Ｃ）に示すように、栓部１５で開口部１３を閉じた際に、操作部４１を軸線１７に沿って矢印の方向に移動することで、操作部４１に連動して塗布具１６が栓部１５側に近づく方向に移動するようにした。
これにより、第１実施の形態の塗布具付き化粧料容器１０と同様に、栓部１５で開口部１３を閉じた際には、オン・オフスイッチ２２（図１、図２参照）が自動的にオフとなるようにした。
【００４０】
第２実施の形態の塗布具付き化粧料容器４０によれば、第１実施の形態の塗布具付き化粧料容器１０と同様の効果が得られる。
【００４１】
図７に示す、第３実施の形態の塗布具付き化粧料容器５０は、第２実施の形態の塗布具付き化粧料容器４０に備えた環状の操作部４１に代えて、操作片５１を備えたものである。
この操作片５１を軸線１７に沿って移動することで、操作片５１に連動して塗布具１６（図６（Ａ），（Ｂ）参照）を栓部１５側から離れる方向に移動すると、オン・オフスイッチ２２（図１、図２参照）が自動的にオンとなる。
【００４２】
一方、栓部１５で開口部１３を閉じた際に、操作片５１を軸線１７に沿って矢印の方向に移動することで、操作片５１に連動して塗布具１６（図６（Ａ），（Ｂ）参照）が栓部１５側に近づく方向に移動するようにした。
これにより、第１実施の形態の塗布具付き化粧料容器１０と同様に、栓部１５で開口部１３を閉じた際に、オン・オフスイッチ２２（図１、図２参照）が自動的にオフとなる。
【００４３】
第３実施の形態の塗布具付き化粧料容器５０によれば、第１実施の形態の塗布具付き化粧料容器１０と同様の効果が得られる。
【００４４】
前記実施の形態では、化粧料としてマスカラを例に説明したが、これに限定するものではない。
【図面の簡単な説明】
【００４５】
【図１】本発明に係る塗布具付き化粧料容器（第１実施の形態）の蓋部を外した状態を示す断面図である。
【図２】本発明に係る第１実施の形態を示す断面図である。
【図３】本発明に係る第１実施の形態の塗布具本体を示す側面図である。
【図４】本発明に係る第１実施の形態の塗布具本体を示す分解図である。
【図５】本発明に係る第１実施の形態の塗布具本体を示す平面図である。
【図６】（Ａ）〜（Ｃ）は本発明に係る塗布具付き化粧料容器（第２実施の形態）を示す側面図である。
【図７】本発明に係る塗布具付き化粧料容器（第３実施の形態）を示す側面図である。
【符号の説明】
【００４６】
１０，４０，５０…塗布具付き化粧料容器
１１…容器本体
１２…マスカラ（化粧料）
１３…開口部
１５…栓部
１５…塗布具
１８…塗布具の表面
１９…ニクロム線（発熱体）
２０…電源
２２…オン・オフスイッチ
【図１】
2006034772.tif 000003
【図２】
2006034772.tif 000004
【図３】
2006034772.tif 000005
【図４】
2006034772.tif 000006
【図５】
2006034772.tif 000007
【図６】
2006034772.tif 000008
【図７】
2006034772.tif 000009